(57)【要約】      （修正有）【課題】目で確認が不可能な場所に掛かった釣針に対しても、目視できる場所に掛かった釣針を、合理的な動きで取り外す釣り人の指先を範とし、機能的に、その指先と同じ動きが出来る針外しを提供する。【解決手段】魚体内の、目視が不可能な場所に掛かった釣針を、確実に取り出す場合、従来の針外しで最大の障害要因は、掛かった位置より釣針を取り出す間、釣針の切先が、常に取り出し口である魚の口元に向いており、再度、魚体に掛かってしまう危険性を排除出来ない事である。釣針の切先を魚体内で抜き取った後、ハリス弛み止め用切り込み１５が有るハリス弛み止め用ゴム１４でハリスを引っ張る事で、確実に釣針捕捉部１の釣針を捕捉すると共に、釣針捕捉部１を取り付けたベルト３が、ベルト回転用下部軸４で反転し、釣針の切先を、取り出し口である魚の口元とは反対の向きに固定し、再度、魚体に掛かってしまう危険性を排除した。【選択図】図２
0003163044.tif 000002
【実用新案登録請求の範囲】
【請求項１】
釣針捕捉部（１）を取り付けたベルト（３）を、ベルト回転用下部軸（４）で回転させることで、釣針捕捉部（１）に捕捉された釣針の切先を反転させ、魚体から釣針を外す事を特徴とする針外し。
【請求項２】
ハリス弛み止め用切り込み（１５）を備えたハリス弛み止め用ゴム（１４）を、ベルト（３）に取り付け、釣針捕捉部（１）に捕捉された釣針と繋がるハリスを、ハリス弛み止め用切り込み（１５）に巻き付ける事で、弛みの解消を行う事を特徴とする請求項１記載の針外し。
【考案の詳細な説明】
【技術分野】
【０００１】本考案は、他所で発生させた一定方向の力を、所定の場所へ伝達する機能を持つベルト上に、魚体内に掛かった釣針を捕捉する部品を合体させる事で、釣り人が、釣針を外す時の手順となる、釣り上げた魚を手で掴み、指先で掛かった釣針を挟み、その切先の進入方向と正反対の方向に引き下げ、抜け掛かる直前に、指先を反転させて釣針を外す動作を、機能として備えた針外しである。
【背景技術】
【０００２】従来、針外しは、釣り人の用具として必要な携帯品であるが、魚体より釣針を外す手順について、物理的合理性に基づく説明書が添付された商品は、見当たらない。説明書では理解できない、手早く魚体内より釣針を外す方法は、経験と感を必要とし、その経験と感も、釣針の掛かり方が一定ではない為、役に立たず外せない状況も発生する。
針外しとして、釣針がどの様な状況で魚体内に掛かっていても、安定した機能を発揮し、簡単に外せる商品の開発が望まれる。
【考案の開示】
【考案が解決しようとする課題】
【０００３】魚釣りを楽しむ中、最も無駄に感じる時間は、釣針に掛かった魚を外す為の時間であり、深く飲み込まれ、目視できない位置に掛かった釣針を、従来の針外しを使って外すには、経験と感だけが頼りとなり、困難を伴う。釣針に、かえしが有る場合は尚更に困難で、大きな傷を付けず、魚を川に戻すキャッチ＆リリースに照らしても、マイナス要因となる。
本考案は、魚体内深く飲み込まれた釣針を、素早く確実に捕捉し、短時間で魚体内より釣針を取り出す事に重点を置き、従来の確実性を欠く、経験と感が頼りの針外しから、目で確認が不可能な場所に掛かった釣針に対しても、目視できる場所に掛かった釣針を、合理的な動きで取り外す釣り人の指先を範とし、機能的に、その指先と同じ動きが出来る針外しの製作を、目的とする。
【課題を解決するための手段】
【０００４】釣針捕捉部（１）を取り付けたベルト（３）を、ベルト回転用下部軸（４）で回転させることで、釣針捕捉部（１）に捕捉された釣針の切先を反転させ、魚体から釣針を外す事を特徴とする針外しであり、ハリス弛み止め用切り込み（１５）を入れたハリス弛み止め用ゴム（１４）を、ベルト（３）に取り付け、釣針捕捉部（１）に捕捉された釣針に繋がるハリスを引っ張り、ハリス弛み止め用切り込み（１５）に巻き付ける事で、弛みの解消を行う事を特徴とする請求項１記載の針外しである。
【考案の効果】
【０００５】釣り人の携帯品として必要となる針外しについては、プラスチック・金属を素材として複数のメーカーが商品化し、販売をしている。その使用方法にある魚体より釣針を外す原理は、ハリスをフック兼ガイド用溝穴に通し先端の釣針に至り、次にハリスを引張って釣針を安定させ、釣針の切先が入り込んだ反対方向に押し下げて抜き、抜かれた釣針の切先を内側に巻き込むか、又は、切り込まれた溝に埋没し隠れた段階で、魚体内より釣針を取り出す簡単な一連の流れに集約をされる。但し、魚体より釣針を外す原理が、簡単な一連の流れである事とは反対に、魚体にダメージを加えず、暴れる魚の体内より釣針を取り出す作業には、困難が伴う事を多くの釣り人が経験し、その結果、無理やり引き抜く状況が発生する。その原因は、釣針が魚体に掛かる状況が千差万別であり、外し方も毎回同じには行かない事に有る。本考案は、針外しに必要な機能として、どのような状態で掛かった釣針に対しても、安定した針外しを実行できるよう、最も合理的な人間の指先の動きに習い、魚を掴み、釣針を親指と人差し指の先で摘み、釣針が掛かった反対方向へ引き下げ、最後に指先の反転で釣針の切先を１８０度回転させ、釣針の切先が、魚体に再び掛からないようにして取り出す手順を、釣針を捕捉し固定する釣針捕捉部（１）をベルト（３）に取り付け、当該ベルトをベルト回転用下部軸（４）で反転回転させることで可能とした。
【考案を実施するための最良の形態】
【０００６】本考案の実施に重要な部品は、釣針捕捉部（１）・ベルト（３）・ベルト回転用下部軸（４）・ハリス弛み止め用切り込み（１５）を持つハリス弛み止め用ゴム（１４）である。釣針捕捉部（１）については、針外しを持った状況で、魚体に掛かった釣針へ繋がるハリスを、簡単に誘導出来るハリス挿入部を持つことが重要で、その対応に、当該針外しの釣針捕捉部（１）は、コイルバネ状に一回だけ回転させる事と、フレーム（２０）の側面部（Ｂ）を利用する事で、ハリス挿入部（Ａ）の隙間部分より誘導し易くしている。ベルト（３）については、模型エンジンの動力伝達用部品も流用可能であり、歯車の歯と噛み合う波状の溝を、釣針捕捉部（１）・ハリス弛み止め用ゴム基部（１６）の取付合体部に利用している。尚、ベルト（３）に釣針捕捉部（１）を取付る事で、釣針捕捉部（１）は、上下左右の可動性を持ち、釣針捕捉部（１）の先端部が魚体内に掛かった釣針と、ハリスにも引張られ持ち上がる結果、捕捉された釣針の脱落を防止している。又、アラミド繊維系のベルトを流用する場合、湿度に影響され易いことから、ベルト張力調整用スライド穴（８）を設けている。ベルト回転用下部軸（４）とベルト回転用上部軸（５）は、回転する必要性は無く、２枚のフレーム（２０）で挟み込み固定しているが、ベルト回転用上部軸（５）は、ボルトとナットで脱着可能なベルト（３）交換時用とした。ハリス弛み止め用ゴム（１４）は、ハリスを巻き付け、一時的に固定するためのハリス弛み止め用切り込み（１５）を持ち、釣針捕捉部（１）とハリスを渡す場合の弛み防止と、釣針捕捉部（１）がベルト回転用下部軸（４）を中心に、確実に回転出来るよう担保している。他の部品に関しては、様々なデザインが可能であるが、ベルト作動用手掛け（９）の上下作動範囲を一定にする為、ベルト作動用手掛け基部（１０）とハリス弛み止め用ゴム基部（１６）には、ベルト回転用上部軸（５）を活用して、ストッパーの役目を持たせた。針外しは、魚体内へ挿入する為、フレーム（２０）の体積を、魚体の大小に対応させる必要も有るが、ベルト（３）剥き出しで、ベルト回転用下部軸（４）とベルト回転用上部軸（５）だけを２本のロッドで固定し、ベルト作動用手掛け基部（１０）とハリス弛み止め用ゴム基部（１６）を、ロッド上及びロッド間のスライド式とすると、ベルト（３）が魚体内の凹凸を吸収し、体積を減少させる事で対応可能であり、製造コスト削減にも繋がる。
【図面の簡単な説明】
【０００７】
【図１】針外しの正面図である。
【図２】針外しの側面図である。
【図３】図２楕円内符号２及びベルト部の拡大図である。
【図４】図２側面図のＩ−Ｉ’断面図である。
【図５】図２側面図のＩＩ−ＩＩ’断面図である。
【符号の説明】
【０００８】１        釣針捕捉部
２        釣針捕捉部取付合体部
３        ベルト
４        ベルト回転用下部軸
５        ベルト回転用上部軸
６        ベルト回転用上部軸固定ボルト
７        ベルト回転用上部軸固定ナット
８        ベルト張力調整用スライド穴
９        ベルト作動用手掛け
１０      ベルト作動用手掛け基部
１１−１  ベルト作動用手掛け基部合体具
１１−２  ベルト作動用手掛け基部合体具
１２−１  ベルト作動用手掛け基部合体用突起
１２−２  ベルト作動用手掛け基部合体用突起
１３      フレーム保持用指穴
１４      ハリス弛み止め用ゴム
１５      ハリス弛み止め用切り込み
１６      ハリス弛み止め用ゴム基部
１７      ハリス弛み止め用ゴム固定ボルト
１８−１  ハリス弛み止め用ゴム基部合体具
１８−２  ハリス弛み止め用ゴム基部合体具
１９−１  ハリス弛み止め用ゴム基部合体用突起
１９−２  ハリス弛み止め用ゴム基部合体用突起
２０      フレーム
（Ａ）    ハリス挿入部
（Ｂ）    フレーム（２０）の側面部
【図１】
0003163044.tif 000003
【図２】
0003163044.tif 000004
【図３】
0003163044.tif 000005
【図４】
0003163044.tif 000006
【図５】
0003163044.tif 000007
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
フレーム（２０）が対となり、挟み込む状態で固定した、ベルト回転用下部軸（４）とベルト回転用上部軸（５）に掛け渡した、ベルト（３）の作動方向が、ベルト回転用下部軸（４）を境に、下方先端向きより手元上向きに反転する事を利用し、ガイド役の道糸とハリスに誘導され、魚体内に掛かった釣針に到達する釣針捕捉部（１）を、ベルト回転用下部軸（４）を通過する手前直近のベルト（３）の部位に取り付け、当該、釣針捕捉部（１）を取り付けたベルト（３）がベルト回転用下部軸（４）を通過し、作動方向が手元上向きに転じた時点で、釣針の切先も１８０度の反転を完了し、結果、魚体から釣針を外す事を特徴とする針外し。
【請求項２】
ベルト回転用下部軸（４）を通過する、手前直近のベルト（３）の部位に取り付けた、釣針捕捉部（１）に捕捉された釣針が、ベルト回転用下部軸（４）の軸周を安定して、１８０度反転が可能となる様、ハリス弛み止め用切り込み（１５）を備えたハリス弛み止め用ゴム（１４）を、釣針捕捉部（１）の取り付け位置より上部手元側となるベルト（３）に取り付け、釣針捕捉部（１）に捕捉された釣針と繋がるハリスを、ハリス弛み止め用切り込み（１５）に巻きつける事で、弛みの解消を行う事を特徴とする請求項１記載の針外し。